(57)【要約】  【課題】使用者の臀部全体を洗い流すことができ、要介護者の世話取りをする場合にも用便後の臀部の洗い流し作業の労力を軽減することができる便器を提供する。  【解決手段】洗浄装置４に、便座３の開口部３１の開口略全域に洗浄水を噴射する噴射部４１を設けた。【選択図】図２
0003123696.tif 000002
【実用新案登録請求の範囲】
【請求項１】
便座に腰掛けた使用者の臀部又は局部に向かって洗浄水を噴射して臀部又は局部を洗浄する洗浄装置を備えた便器であって、
前記洗浄装置が、前記便座の開口部の開口略全域に前記洗浄水を噴射する噴射部を具備していることを特徴とする便器。
【請求項２】
前記噴射部が、前記便座の開口部の中心から変位した位置から洗浄水を噴射するものであり、且つ前記洗浄水を前記便座の開口部の中心側に向けて噴射するものである請求項１記載の便器。
【請求項３】
前記噴射部を、前記便座の内周に所定ピッチで複数設けている請求項１又は２記載の便器。
【請求項４】
水滴を吹き飛ばすための乾燥用空気を吐出する送風部をさらに具備していることを特徴とする請求項１、２又は３記載の便器。
【請求項５】
前記送風部を、前記便座の内周に所定ピッチで複数設けている請求項４記載の便器。
【請求項６】
前記便座に、当該便座を便器本体に載せ置いた状態において便器本体の開口縁部の内側に位置付けられる水切り部を設けている請求項１、２、３、４又は５記載の便器。
【考案の詳細な説明】
【技術分野】
【０００１】
本考案は、便座に腰掛けて使用可能な便器に関するものである。
【背景技術】
【０００２】
従来より、局部を洗浄する洗浄装置を備えた便器が開発されている。洗浄装置の一例としては、例えば、ノズルの先端部から局部に向かって洗浄水を噴射するものが挙げられる。
【考案の開示】
【考案が解決しようとする課題】
【０００３】
しかしながら、従来の便器は、洗浄装置のノズルから噴射する洗浄水によって局部を集中的に洗浄するものであるため、例えば要介護者等、排便を上手く行うことができず、排便時に汚物を臀部に付着させてしまう人の世話取りをする人にとっては、要介護者が排便した後、要介護者の臀部全体を洗い流す作業や臀部を拭く作業に多大な労力を要する。
【０００４】
本考案は、このような課題に着目してなされたものであって、主たる目的は、使用者の臀部全体を洗い流すことができ、要介護者の世話取りをする場合にも用便後の臀部の洗い流し作業の労力を軽減することができる便器を提供することにある。
【課題を解決するための手段】
【０００５】
すなわち、本考案の便器は、便座に腰掛けた使用者の臀部又は局部に向かって洗浄水を噴射して臀部又は局部を洗浄する洗浄装置を備えたものであって、前記洗浄装置が、前記便座の開口部の開口略全域に前記洗浄水を噴射する噴射部を具備していることを特徴とする。
【０００６】
このようなものであれば、使用者の臀部全体を洗い流すことができるため、特に要介護者の世話取りをする場合には、従来のように特定の部分のみを集中的に洗浄する態様と比較して、用便後の臀部の洗い流し作業の労力を軽減することができる。
【０００７】
特に、前記噴射部を、前記便座の内周に所定ピッチで複数設けていれば、便座と噴射部とをユニット化することができ、従来のように便座を臨む位置に表出するノズル部を設ける必要がない。
【０００８】
また、用便後の臀部や局部の拭き作業を省略又は簡略化するには、水滴を吹き飛ばすための乾燥用空気を吐出する送風部をさらに具備したものであることが好ましい。この場合、好適な実施態様としては、前記送風部を、前記便座の内周に所定ピッチで複数設けた態様が挙げられる。
【０００９】
さらに、前記噴射部が、前記便座の開口部の中心から変位した位置から洗浄水を噴射するものであり、且つ前記洗浄水を前記便座の開口部の中心側に向けて噴射するものであれば、便座の開口部の中心に向かって噴射され臀部を洗浄した後の洗浄水を便器本体内へ好適に誘導することができ、洗浄水が便器外へ飛散することを防止することができる。
【００１０】
また、洗浄水が便座と便器本体との隙間から外部へ飛散することを防止するには、前記便座に、この便座を便器本体に載せ置いた状態において便器本体の開口縁部の内側に位置付けられる水切り部を設ければよい。
【考案の効果】
【００１１】
以上説明したように本考案によれば、使用者の臀部全体を洗い流すことにより、特に要介護者の世話取りをする場合には、用便後の臀部の洗い流し作業の労力軽減を有効に図ることができる。
【考案を実施するための最良の形態】
【００１２】
以下、本考案の一実施形態を、図面を参照して説明する。
【００１３】
このように、本実施形態に係る便器１は、図１及び図２（図１は便器１の全体概略図であり、図２は図１のａ―ａ線断面図である）に示すように、便器本体２と、便器本体２に対して起伏可能に回動する便座３と、使用者の臀部に向かって洗浄水を噴射して臀部を洗浄する洗浄装置４とを備えたものである。
【００１４】
便器本体２は、汚物を下方に導くボール面２１と、このボール面２１の下端に設けた排出口２２とを備えた周知のものである。
【００１５】
便座３は、中央部に大きな開口部３１を設けたものであり、下面を便器本体２の上面に当接又は近接させてなる倒伏位置（３Ａ）と、下面を便器本体２の上面から離間させて起立させてなる図示しない起立位置との間で回動するものである。この便座３に、前記倒伏位置（３Ａ）にセットした場合に便器本体２の開口縁部２ａの内側に位置付けられる水切り部３２を設けている（図２参照）。本実施形態では、水切り部３２として、便座３の開口部３１の開口縁部３１ａから開口部３１の面方向に略直交する方向に垂下させてなる薄板状の垂下壁を適用している。この水切り部３２を、便座３の開口部３１の開口縁部３１ａ全周に亘って連続して設けている。また、本実施形態では、便座３の下面に、緩衝部材として機能する弾性体３３を固着し、便座３を倒伏位置（３Ａ）に位置付けた場合に、便座３の下面と便器本体２の上面との間に弾性体３３を介在させ、便座３を起立位置から倒伏位置（３Ａ）へ回動させた際の衝撃及び衝撃音を吸収するようにしている。そして前記水切り部３２の高さ寸法（垂下方向への延伸寸法）を弾性体３３の厚み寸法よりも十分に長く設定している。
【００１６】
洗浄装置４は、前記倒伏位置（３Ａ）にある便座３の開口部３１に臨む使用位置（４１Ａ）と、前記倒伏位置（３Ａ）にある便座３の開口部３１に臨まない不使用位置（図示省略）との間で移動可能な噴射部４１を備えたものである。噴射部４１は、図示しない貯水タンク部に連通し洗浄水を流路として機能する内部空間を有するパイプ部４１１と、パイプ部４１１の先端部に設けた噴射部本体４１２とを備えたものである。本実施形態では、噴射部本体４１２として、概略半球状をなし、表面部に洗浄水の射出口を放射状に多数設けたものを適用している。
【００１７】
しかして、噴射部４１を使用位置（４１Ａ）に位置付けた場合において、噴射部本体４１２の各射出口から便座３の開口部３１の開口全域に洗浄水が噴射するように設定している（図２では洗浄水の噴射方向を鎖線で模式的に示している）。
【００１８】
次に、このような構成をなす便器１の使用方法及び作用について説明する。
【００１９】
先ず、使用者は、便座３を倒伏位置（３Ａ）にセットした状態で便座３に腰掛ける。その際、噴射部４１は不使用位置に位置付けられている。そして排便した後、図示しない操作部（スイッチ等）に対して所定の操作を行う（スイッチを押す等）ことにより、噴射部４１が不使用位置から使用位置（４１Ａ）に移動し、噴射部本体４１２の各射出口から洗浄水が便座３の開口部３１の開口全域に噴射する。これにより、便座３の開口部３１内に臨む使用者の臀部全体が洗浄される。また、臀部を洗浄した洗浄水は不規則な方向に飛散するが、便座３の水切り部３２により、便座３と便器本体２との隙間から外部へ飛散することを防止し、便器本体２のボール面２１を経て排出口２２に流れていくようにしている。
【００２０】
このように、本実施形態に係る便器１は、洗浄装置４が、便座３の開口部３１の開口略全域に洗浄水を噴射する噴射部４１を備えたものであるため、使用者の臀部全体を洗い流すことができ、特に排便時に汚物を臀部に付着させてしまう人の世話取りをする人にとっては、従来のように特定の部分のみを集中的に洗浄する態様と比較して、用便後の臀部の洗い流し作業の労力を軽減することができる。
【００２１】
特に、便座３に、便座３を倒伏位置（３Ａ）にセットした状態において便器本体２の開口縁部２ａの内側に位置付けられる水切り部３２を設けているため、広範囲に亘って洗浄を噴射するタイプであっても、洗浄水が便座３と便器本体２との隙間から外部へ飛散することを確実に防止することができる。
【００２２】
なお、本考案は、以上に詳述した実施形態に限られるものではない。
【００２３】
例えば、噴射部が、便座の開口部の中心から変位した位置から洗浄水を噴射するものであり、且つ洗浄水を便座の開口部の中心側に向けて噴射するものであってもよい。具体例としては、例えば図３に示すように、一の洗浄装置Ａ４が複数（図示例では２個）の噴射部Ａ４１を備え、洗浄水の噴射方向を鉛直方向に対して便座Ａ３の開口部の中心側に寄った方向に設定したものが挙げられる。このようなものであれば、臀部又は局部を洗浄した後の洗浄水を便器本体Ａ２内の中心部側へ誘導することができ、洗浄水が便器Ａ１外へ飛散することを抑制することが可能である。
【００２４】
また、前記実施形態では、噴射部４１として、略半球状の噴射部本体４１２を備えた態様を例示したが、これに限らず、例えば図４又は図５に示すように、噴射部として、ノズル状の噴射部本体Ｂ４１２、Ｃ４１２を備えた態様を採用しても構わない。なお、図４に示す洗浄装置Ｂ４は、単一の噴射部Ｂ４１を備えたものであり、図５に示す洗浄装置Ｃ４は、複数（２個）の噴射部Ｃ４１を備えたものである。なお、図３〜５では、前記実施形態の便器に対応する部位にそれぞれ符号の頭に「Ａ」、「Ｂ」、「Ｃ」を付して示す。
【００２５】
また、噴射部として、略環状の噴射部本体を備えたものであってもよい。
【００２６】
また、図６に示すように、噴射部Ｄ４を、便座Ｄ３の内周に所定ピッチで複数設けても構わない。この場合、各噴射部Ｄ４は、便座Ｄ３の内方に向かって開口する射出口を有するものであり、洗浄水を便座Ｄ３の開口部Ｄ３１の中心側に向けて噴射するものである。このようなものであれば、ノズル等の部材が不要となり、便器Ｄ１の外観をシンプルなものとすることができるとともに、便座Ｄ３の開口部Ｄ３１全域に洗浄水を効率良く噴射することができる。また、同図に示す便器Ｄ１は、便座Ｄ３の開口部Ｄ３１の開口略全域に水滴を吹き飛ばすための乾燥用空気を吐出する送風部Ｄ５をさらに具備している。具体的には、送風部Ｄ５を、便座Ｄ３の内周に所定ピッチで複数設けており、同図では、開口部Ｄ３１の周方向に沿って前記噴射部Ｄ４と交互に設け、便座Ｄ３に噴射部Ｄ４及び送風部Ｄ４をユニット化した態様を示している。このようなものであれば、送風部Ｄ５による送風作用によって臀部に付着している洗浄水を吹き飛ばして乾燥させることができ、拭き作業を省略又は簡略化することができる。なお、各噴射部Ｄ４及び各送風部Ｄ５はそれぞれ給水管Ｄ４２又は送風管Ｄ５２を通じて図示しない給水源又は送風源に接続されている。なお、送風部として、便座の開口部に臨む使用位置と、便座の開口部に臨まない不使用位置との間で移動し、使用位置にした場合に送風機能を発揮するものや、便器本体に設けたものを適用しても構わない。また、送風部の数や配置場所は適宜変更してもよい。
【００２７】
また、噴射部を便器本体に設けてもよい。具体的には、図７に示すように、便器本体Ｅ２の上端部近傍部位に便器本体Ｅ２を横断する方向に延びる噴射部たる噴射ノズルＥ４を複数設け、各噴射ノズルＥ４から洗浄水を便座Ｅ３の開口部Ｅ３１の中心側に向けて噴射するようにしている。なお、図６及び図７では、前記実施形態の便器に対応する部位にそれぞれ符号の頭に「Ｄ」、「Ｅ」を付して示す。
【００２８】
また、噴射部が、便座の開口部の開口略全域に洗浄水を噴射する全体洗浄と、局部に向けて洗浄水を噴射する集中洗浄とを切替可能なもの、あるいは全体洗浄と集中洗浄とを同時又は若干の時間差で併用可能なものであっても構わない。
【００２９】
また、洗浄水の噴射加減や噴射方向、温度を適宜調節可能に設定してもよいことはいうまでもない。  その他、各部の具体的構成についても上記実施形態に限られるものではなく、本考案の趣旨を逸脱しない範囲で種々変形が可能である。
【図面の簡単な説明】
【００３０】
【図１】本考案の一実施形態に係る便器の全体概略図。
【図２】図１のａ―ａ線断面を模式的に示す図。
【図３】同実施形態の一変形例に係る便器を図２に対応して示す図。
【図４】同実施形態の一変形例に係る便器を図２に対応して示す図。
【図５】同実施形態の一変形例に係る便器を図２に対応して示す図。
【図６】同実施形態の一変形例に係る便器を図１に対応して示す図。
【図７】同実施形態の一変形例に係る便器を図２に対応して示す図。
【符号の説明】
【００３１】
１、Ａ１、Ｂ１、Ｃ１、Ｄ１、Ｅ１…便器
２、Ａ２、Ｂ２、Ｃ２、Ｄ２、Ｅ２…便器本体
２ａ、Ａ２ａ、Ｂ２ａ、Ｃ２ａ、Ｄ２ａ、Ｅ２ａ…開口縁部
３、Ａ３、Ｂ３、Ｃ３、Ｄ３、Ｅ３…便座
３１、Ａ３１、Ｂ３１、Ｃ３１、Ｄ３１、Ｅ３１…開口部
３２、Ａ３２、Ｂ３２、Ｃ３２、Ｄ３２、Ｅ３２…水切り部
４、Ａ４、Ｂ４、Ｃ４、Ｄ４、Ｅ４…洗浄装置
４１、Ａ４１、Ｂ４１、Ｃ４１、Ｄ４１、Ｅ４１…噴射部
Ｄ５…送風部
【図１】
0003123696.tif 000003
【図２】
0003123696.tif 000004
【図３】
0003123696.tif 000005
【図４】
0003123696.tif 000006
【図５】
0003123696.tif 000007
【図６】
0003123696.tif 000008
【図７】
0003123696.tif 000009